(57)【特許請求の範囲】
【請求項１】
監視対象者が携帯して使用する監視対象者端末と、監視者が使用する監視者端末とを具備する移動開始確認システムであって、
前記移動開始確認システムは、
前記監視者端末が操作されることにより、前記監視対象者の目的地への移動開始予定時刻に関する移動開始予定時刻情報を設定する移動開始予定時刻情報設定部と、
前記監視対象者端末の位置情報を取得する位置情報取得部と、
前記位置情報取得部で取得された前記位置情報の履歴を蓄積する位置情報蓄積部と、
前記移動開始予定時刻情報設定部に設定された前記移動開始予定時刻情報、及び前記位置情報蓄積部に蓄積された前記位置情報の履歴に基づいて、前記移動開始予定時刻あるいはそれ以降において前記監視対象者が前記目的地へ向けて移動開始しているかどうかを判断する移動開始判断部と、
を具備し、
前記監視者端末は、前記監視対象者が前記目的地へ向けて移動開始している旨を報知可能な移動開始報知部を有し、
前記移動開始確認システムはさらに、
前記移動開始判断部により、前記移動開始予定時刻あるいはそれ以降において前記監視対象者が前記目的地へ向けて移動開始していると判断されると、前記監視者端末の前記移動開始報知部に前記監視対象者が前記目的地へ向けて移動開始している旨を報知させる移動開始報知制御部を具備し、
前記移動開始確認システムは、
前記位置情報取得部で取得された前記移動開始予定時刻における前記位置情報に基づいて、前記移動開始予定時刻における前記監視対象者端末の位置を含む所定の領域を決定すると共に、前記所定の領域に関する領域情報を設定する領域情報設定部を具備し、
前記移動開始判断部は、
前記位置情報蓄積部に蓄積された前記位置情報の履歴、及び前記領域情報設定部に設定された前記領域情報に基づいて、前記監視対象者端末が前記所定の領域内にあるか前記所定の領域外にあるかを判断し、前記監視対象者端末が前記所定の領域外にある場合に、前記監視対象者が前記目的地へ向けて移動開始していると判断する、
移動開始確認システム。
【請求項２】
前記監視対象者端末は、前記移動開始予定時刻になったことを報知するアラームを出力するアラーム出力部を有し、
前記移動開始予定時刻情報設定部に設定された前記移動開始予定時刻情報に基づいて、前記移動開始予定時刻になると前記アラーム出力部に前記アラームを出力させるアラーム制御部を具備する、
請求項１に記載の移動開始確認システム。
【請求項３】
前記アラーム制御部は、前記監視対象者端末からの停止指示があるまで前記アラーム出力部に前記アラームを出力させ、
前記監視者端末は、前記アラームの出力が停止された旨を報知可能なアラーム停止報知部を有し、
前記アラームの出力が停止されたかどうかを判断するアラーム停止判断部と、
前記アラーム停止判断部により前記アラームの出力が停止されたと判断されると、前記監視者端末の前記アラーム停止報知部に前記アラームの出力が停止された旨を報知させるアラーム停止報知制御部を具備する、
請求項２に記載の移動開始確認システム。
【請求項４】
前記移動開始確認システムは、
地図情報を格納する地図情報部と、
前記監視対象者が目指すべき目的地に関する目的地情報を設定する目的地情報設定部と、
前記監視者端末が操作されることにより、前記監視対象者の目的地への到着予定時刻に関する到着予定時刻情報を設定する到着予定時刻情報設定部と、
を具備し、
前記移動開始予定時刻情報設定部は、
前記到着予定時刻情報設定部に設定された到着予定時刻、前記地図情報部に格納された前記地図情報、前記位置情報取得部で取得された前記位置情報、及び前記目的地情報設定部で設定された前記目的地情報に基づいて、前記移動開始予定時刻を算出する、
請求項１から請求項３までのいずれか一項に記載の移動開始確認システム。
【発明の詳細な説明】
【技術分野】
【０００１】
本発明は、監視対象者が携帯して使用する監視対象者端末と、監視者が使用する監視者端末とを具備する移動開始確認システムの技術に関する。
【背景技術】
【０００２】
従来、監視対象者が携帯して使用する監視対象者端末と、監視者が使用する監視者端末とを具備するシステムの技術は公知となっている。例えば、特許文献１に記載の如くである。
【０００３】
特許文献１には、子供が所持する第１の通信端末と、親が所持する第２の通信端末と、第１の通信端末にアラームの出力指示を送信するサーバーとを具備するシステムが開示されている。前記サーバーは、予め指定された子供の帰宅予定時刻に第１の通信端末が自宅内に無く、且つ、第１の通信端末が第２の通信端末の近くに無い場合に、第１の通信端末にアラームの出力指示を送信するように構成されている。特許文献１に記載のシステムによれば、帰宅予定時刻になったことを子供に知らせることができる。
【０００４】
しかしながら、特許文献１に記載の技術は、帰宅予定時刻になったことを子供に知らせることができるものの、子供が帰宅を始めたかどうかを親は知ることができないという問題があった。
【先行技術文献】
【特許文献】
【０００５】
【特許文献１】特開２０１０−４１３５号公報
【発明の概要】
【発明が解決しようとする課題】
【０００６】
本発明は以上の如き状況に鑑みてなされたものであり、その解決しようとする課題は、監視対象者が目的地へ向けて移動開始したのを監視者が確認することができる移動開始確認システムを提供するものである。
【課題を解決するための手段】
【０００７】
本発明の解決しようとする課題は以上の如くであり、次にこの課題を解決するための手段を説明する。
【０００８】
即ち、請求項１においては、監視対象者が携帯して使用する監視対象者端末と、監視者が使用する監視者端末とを具備する移動開始確認システムであって、前記移動開始確認システムは、前記監視者端末が操作されることにより、前記監視対象者の目的地への移動開始予定時刻に関する移動開始予定時刻情報を設定する移動開始予定時刻情報設定部と、前記監視対象者端末の位置情報を取得する位置情報取得部と、前記位置情報取得部で取得された前記位置情報の履歴を蓄積する位置情報蓄積部と、前記移動開始予定時刻情報設定部に設定された前記移動開始予定時刻情報、及び前記位置情報蓄積部に蓄積された前記位置情報の履歴に基づいて、前記移動開始予定時刻あるいはそれ以降において前記監視対象者が前記目的地へ向けて移動開始しているかどうかを判断する移動開始判断部と、を具備し、前記監視者端末は、前記監視対象者が前記目的地へ向けて移動開始している旨を報知可能な移動開始報知部を有し、前記移動開始確認システムはさらに、前記移動開始判断部により、前記移動開始予定時刻あるいはそれ以降において前記監視対象者が前記目的地へ向けて移動開始していると判断されると、前記監視者端末の前記移動開始報知部に前記監視対象者が前記目的地へ向けて移動開始している旨を報知させる移動開始報知制御部を具備し、前記移動開始確認システムは、前記位置情報取得部で取得された前記移動開始予定時刻における前記位置情報に基づいて、前記移動開始予定時刻における前記監視対象者端末の位置を含む所定の領域を決定すると共に、前記所定の領域に関する領域情報を設定する領域情報設定部を具備し、前記移動開始判断部は、前記位置情報蓄積部に蓄積された前記位置情報の履歴、及び前記領域情報設定部に設定された前記領域情報に基づいて、前記監視対象者端末が前記所定の領域内にあるか前記所定の領域外にあるかを判断し、前記監視対象者端末が前記所定の領域外にある場合に、前記監視対象者が前記目的地へ向けて移動開始していると判断するものである。
【０００９】
請求項２においては、前記監視対象者端末は、前記移動開始予定時刻になったことを報知するアラームを出力するアラーム出力部を有し、前記移動開始予定時刻情報設定部に設定された前記移動開始予定時刻情報に基づいて、前記移動開始予定時刻になると前記アラーム出力部に前記アラームを出力させるアラーム制御部を具備するものである。
【００１０】
請求項３においては、前記アラーム制御部は、前記監視対象者端末からの停止指示があるまで前記アラーム出力部に前記アラームを出力させ、前記監視者端末は、前記アラームの出力が停止された旨を報知可能なアラーム停止報知部を有し、前記アラームの出力が停止されたかどうかを判断するアラーム停止判断部と、前記アラーム停止判断部により前記アラームの出力が停止されたと判断されると、前記監視者端末の前記アラーム停止報知部に前記アラームの出力が停止された旨を報知させるアラーム停止報知制御部を具備するものである。
【００１２】
請求項４においては、前記移動開始確認システムは、地図情報を格納する地図情報部と、前記監視対象者が目指すべき目的地に関する目的地情報を設定する目的地情報設定部と、前記監視者端末が操作されることにより、前記監視対象者の目的地への到着予定時刻に関する到着予定時刻情報を設定する到着予定時刻情報設定部と、を具備し、前記移動開始予定時刻情報設定部は、前記到着予定時刻情報設定部に設定された到着予定時刻、前記地図情報部に格納された前記地図情報、前記位置情報取得部で取得された前記位置情報、及び前記目的地情報設定部で設定された前記目的地情報に基づいて、前記移動開始予定時刻を算出するものである。
【発明の効果】
【００１３】
本発明の効果として、以下に示すような効果を奏する。
【００１４】
請求項１においては、移動開始予定時刻を監視者が設定できると共に、監視対象者が目的地へ向けて移動開始したのを監視者が確認することができる。また、監視対象者が目的地へ向けて移動開始したかどうかを、より正確に判断することができる。
【００１５】
請求項２においては、監視対象者は、アラームにより移動開始予定時刻になったことを知ることができる。
【００１６】
請求項３においては、監視者は、監視対象者がアラームを停止させたことを知ることができる。
【００１８】
請求項４においては、到着予定時刻に基づいて移動開始予定時刻を設定することができる。
【図面の簡単な説明】
【００１９】
【図１】本発明の第一実施形態に係る移動開始確認システムの構成を示す図。
【図２】本発明の第一実施形態に係る移動開始確認システムのフローチャート。
【図３】本発明の第二実施形態に係る移動開始確認システムの構成を示す図。
【図４】本発明の第三実施形態に係る移動開始確認システムの構成を示す図。
【発明を実施するための形態】
【００２０】
まず、図１を用いて、移動開始確認システム１００の構成の概要について説明する。
【００２１】
移動開始確認システム１００は、監視対象者が移動を開始したのを、監視者が確認するシステムである。より詳細には、予め定められた移動開始予定時刻になったときに、監視対象者が外出先（現在の位置）から次の目的地へ向けて移動を開始しているかどうかを、監視者が確認するシステムである。
【００２２】
移動開始確認システム１００において、監視対象者は、目的地へ向けて移動を開始するのを監視される側であり、例えば子供である。監視者は、その監視対象者が目的地へ向けて移動を開始するのを監視する側であり、例えば親である。目的地は、監視対象者が目指そうとする地点であり、例えば家である。
【００２３】
移動開始予定時刻は、監視対象者が目的地へ向けて移動を開始するべき時刻であり、監視者により設定されるものである。移動開始予定時刻は、監視対象者が目的地へ到達するべき到着予定時刻（例えば、夕飯の開始時刻）と、監視対象者の現在の位置から目的地までの所要時間とから算出できる。例を挙げると、子供が公園におり、夕飯の開始時刻が１８時、公園から家までの所要時間が１０分の場合、移動開始予定時刻は１７時５０分となる。
【００２４】
移動開始確認システム１００は、監視対象者端末１、監視者端末２及びサーバー３を具備する。
【００２５】
監視対象者端末１は、監視対象者が携帯して使用する端末である。監視対象者端末１としては、データ（情報）を送受信可能な端末が用いられ、例えばパーソナルコンピュータや高機能携帯電話端末が用いられる。監視対象者端末１には、アラーム出力部１Ａ及び入力部１Ｂが備えられる。アラーム出力部１Ａは、移動開始予定時刻になったことを報知するアラームを出力するものである。入力部１Ｂは、監視対象者が操作を行う部分である。入力部１Ｂとしては、例えばキーボードやタッチパネルが用いられる。監視対象者が入力部１Ｂを操作することにより、監視対象者端末１にデータが入力される。
【００２６】
監視対象者端末１は、監視対象者端末１の制御を行う制御部１０を具備する。制御部１０は、位置情報取得部１１、アラーム制御部１２、移動開始予定時刻情報格納部１３及び送受信部１４を具備する。
【００２７】
位置情報取得部１１は、監視対象者端末１の位置情報を取得するものである。位置情報取得部１１は、ＧＰＳ（Ｇｌｏｂａｌ  Ｐｏｓｉｔｉｏｎｉｎｇ  Ｓｙｓｔｅｍ）機能などの位置情報取得機能を有し、これにより監視対象者端末１の現在の位置情報を定期的に取得する。ひいては、位置情報取得部１１は、監視対象者端末１を携帯している監視対象者の現在の位置情報を取得できる。
【００２８】
アラーム制御部１２は、移動開始予定時刻になるとアラーム出力部１Ａにアラームを出力させる制御を行うものである。この制御は、後述する移動開始予定時刻情報設定部２１に設定された移動開始予定時刻情報に基づいて行われる。また、アラーム制御部１２は、入力部１Ｂの操作によりアラーム出力の停止の指示を受けると、アラーム出力部１Ａにアラームの出力を停止させる制御を行うものである。つまり、アラーム制御部１２は、監視対象者端末１（入力部１Ｂ）からの停止指示があるまでアラーム出力部１Ａにアラームを出力させる。このように、アラーム制御部１２は、アラームの出力と停止を制御するので、結果として、アラームが出力しているか停止しているかを判断することができる。
【００２９】
アラーム制御部１２は、アラーム出力部１Ａにアラームを出力させる制御を行ったとき、アラーム出力が開始された旨を示すアラーム開始情報を生成する。また、アラーム制御部１２は、アラーム出力部１Ａにアラームの出力を停止させる制御を行ったとき、アラーム出力が停止された旨を示すアラーム停止情報を生成する。
【００３０】
移動開始予定時刻情報格納部１３は、後述する移動開始予定時刻情報設定部２１に設定された移動開始予定時刻情報を格納するものである。
【００３１】
送受信部１４は、後述するサーバー３とデータを送受信するものである。
【００３２】
監視者端末２は、監視者が使用する端末である。監視者端末２としては、データを送受信可能な端末が用いられ、例えばパーソナルコンピュータや高機能携帯電話端末が用いられる。監視者端末２には、表示部２Ａ及び入力部２Ｂが備えられる。表示部２Ａは、監視者に伝えるための情報や、予め記憶された画面を表示する部分である。表示部２Ａとしては、例えば液晶ディスプレイが用いられる。入力部２Ｂは、監視者が操作を行う部分である。入力部２Ｂとしては、例えばキーボードやタッチパネルが用いられる。監視者が入力部２Ｂを操作することにより、監視者端末２にデータが入力される。
【００３３】
監視者端末２は、監視者端末２の制御を行う制御部２０を具備する。制御部２０は、移動開始予定時刻情報設定部２１、表示制御部２２及び送受信部２３を具備する。
【００３４】
移動開始予定時刻情報設定部２１は、監視対象者の目的地への移動開始予定時刻に関する移動開始予定時刻情報を設定するものである。移動開始予定時刻情報は、監視者端末２の入力部２Ｂが操作されることにより設定される。
【００３５】
表示制御部２２は、監視者に伝えるための情報や、予め記憶された画面を表示部２Ａに表示させる制御を行うものである。表示制御部２２は、例えば、アラーム制御部１２により生成されたアラーム開始情報及びアラーム停止情報を、表示部２Ａに表示させる制御を行うことができる。
【００３６】
送受信部２３は、後述するサーバー３とデータを送受信するものである。
【００３７】
サーバー３は、監視対象者端末１及び監視者端末２とデータを送受信可能に構成されるものである。サーバー３は、サーバー３の制御を行う制御部３０を具備する。制御部３０は、位置情報蓄積部３１、移動開始予定時刻情報格納部３２、移動開始判断部３３、及び送受信部３４を具備する。
【００３８】
位置情報蓄積部３１は、監視対象者端末１の位置情報取得部１１で取得された、監視対象者端末１の位置情報の履歴を蓄積するものである。ここで、位置情報の履歴とは、位置情報取得部１１で取得された、監視対象者端末１の過去から現在までの位置情報のことである。位置情報蓄積部３１は、現在を含むある一定期間の監視対象者端末１の位置情報の履歴を蓄積する。
【００３９】
移動開始予定時刻情報格納部３２は、移動開始予定時刻情報設定部２１に設定された移動開始予定時刻情報を格納するものである。
【００４０】
移動開始判断部３３は、移動開始予定時刻あるいはそれ以降において、監視対象者が目的地へ向けて移動開始しているかどうかを判断するものである。この判断は、移動開始予定時刻情報格納部３２に格納された（移動開始予定時刻情報設定部２１に設定された）移動開始予定時刻情報、及び位置情報蓄積部３１に蓄積された監視対象者端末１の位置情報の履歴に基づいて行われる。
【００４１】
また、移動開始判断部３３は、監視対象者が目的地へ向けて移動開始したと判断したとき、監視対象者が移動開始した旨を示す移動開始情報を生成する。
【００４２】
送受信部３４は、監視対象者端末１及び監視者端末２とデータを送受信するものである。
【００４３】
以下、図１及び図２を参照して、移動開始確認システム１００による制御の流れを説明する。以下の説明においては、監視対象者（子供）が公園に外出しており、監視対象者は１８時に帰宅せねばならず（家への到着予定時刻が１８時であり）、公園から家までの所要時間は１０分である場合を例に挙げて説明する。
【００４４】
監視者（親）が、監視者端末２により、移動開始確認システム１００を起動させる（ステップＳ１０）。
【００４５】
移動開始確認システム１００が起動すると、表示制御部２２の制御により、監視者端末２の表示部２Ａに、予め監視者端末２に記憶された移動（帰宅）開始予定時刻の設定画面が表示される。監視対象者は、家に１８時に到着するためには１７時５０分に公園を出発すればよい。したがって、監視者は、入力部２Ｂを操作して、監視対象者の移動開始予定時刻を１７時５０分と入力する。そうすると、移動開始予定時刻情報設定部２１において、移動開始予定時刻情報が設定される（ステップＳ２０）。移動開始予定時刻情報設定部２１に設定された移動開始予定時刻情報は、送受信部２３を介して、サーバー３の送受信部３４に送信される。送受信部３４で受信された移動開始予定時刻情報は、移動開始予定時刻情報格納部３２に格納される（ステップＳ３０）。
【００４６】
送受信部３４で受信された移動開始予定時刻情報は、移動開始予定時刻情報格納部３２に格納されると共に、監視対象者端末１の送受信部１４に送信される。送受信部１４で受信された移動開始予定時刻情報は、移動開始予定時刻情報格納部１３に格納される。アラーム制御部１２は、移動開始予定時刻情報格納部１３に格納された移動開始予定時刻情報に基づいて、アラーム開始時刻を１７時５０分に設定する（ステップＳ４０）。
【００４７】
これにより、移動開始予定時刻を監視者が設定することができ、ひいてはこの移動開始予定時刻において監視対象者端末１にアラームが出力されるようにすることができる。そして、監視対象者側では監視者により設定された移動開始予定時刻を変更できないため、監視対象者によりアラームの開始時刻が変更されてしまうのを防止することができる。
【００４８】
アラーム制御部１２は、移動開始予定時刻情報格納部１３に格納された（アラーム制御部１２に設定された）移動開始予定時刻情報に基づいて、移動開始予定時刻になったかどうかを判断する（ステップＳ５０）。アラーム制御部１２は、移動開始予定時刻になったと判断すると（ステップＳ５０で「ＹＥＳ」）、アラーム出力部１Ａにアラームを出力させるよう指示（制御）する。この指示に従って、アラーム出力部１Ａはアラーム出力を開始する（ステップＳ６０）。アラーム制御部１２は、未だ移動開始予定時刻になっていないと判断すると（ステップＳ５０で「ＮＯ」）、一定時間経過後、再び移動開始予定時刻になったかどうかの判断を行う（ステップＳ５０）。
【００４９】
アラーム制御部１２は、アラーム出力部１Ａにアラームを出力させる指示を行うと共に、アラーム出力が開始された旨を示すアラーム開始情報を生成する。アラーム制御部１２で生成されたアラーム開始情報は、送受信部１４及び送受信部３４を介して、監視者端末２の送受信部２３に送信される。送受信部２３で受信されたアラーム開始情報は、表示制御部２２の制御により、監視者端末２の表示部２Ａに表示される（ステップＳ７０）。表示部２Ａには、例えば、「アラームを開始しました」と表示される。
【００５０】
これにより、監視者は、アラーム出力が開始されたことを知ることができる。よって、何らかの不都合でアラーム出力が開始されなかった場合に、監視者は、監視対象者に帰宅を促すための別の手段（電話など）を採用することができ、ひいては監視対象者に移動開始予定時刻が伝わらないことを防止することができる。
【００５１】
監視対象者は、アラームにより、移動開始予定時刻になったことを認識することができる。移動開始予定時刻になったことを認識した監視対象者は、アラーム出力を停止するよう、入力部１Ｂを操作する。アラーム制御部１２は、入力部１Ｂからアラーム出力の停止指示を受けると、アラーム出力部１Ａにアラームを停止させるよう指示する。この指示に従って、アラーム出力部１Ａはアラーム出力を停止する（ステップＳ８０）。
【００５２】
アラーム制御部１２は、アラーム出力部１Ａにアラーム出力を停止させる指示を行うと共に、アラーム出力が停止した旨を示すアラーム停止情報を生成する。アラーム制御部１２で生成されたアラーム停止情報は、送受信部１４及び送受信部３４を介して、監視者端末２の送受信部２３に送信される。送受信部２３で受信されたアラーム停止情報は、表示制御部２２の制御により、監視者端末２の表示部２Ａに表示される（ステップＳ９０）。表示部２Ａには、例えば、「アラームを停止しました」と表示される。
【００５３】
これにより、監視者は、アラーム出力が停止されたことを知ることができる。よって、アラームが出力されているにもかかわらず監視対象者がアラームに気付かない場合に、監視者は、監視対象者に帰宅を促すための別の手段（電話など）を採用することができ、ひいては監視対象者に移動開始予定時刻が伝わらないことを防止することができる。
【００５４】
アラームに気付きアラーム出力を停止させた監視対象者は、目的地（家）への移動を開始する。
【００５５】
監視対象者端末１の位置情報取得部１１は、移動開始予定時刻以降の監視対象者端末１の位置情報を定期的に取得している。取得された位置情報の履歴は、送受信部１４を介して、サーバー３の送受信部３４に送信される（ステップＳ１００）。送受信部３４で受信された位置情報の履歴は、位置情報蓄積部３１に蓄積される（ステップＳ１１０）。
【００５６】
移動開始判断部３３は、移動開始予定時刻情報格納部３２に格納された（移動開始予定時刻情報設定部２１に設定された）移動開始予定時刻情報、及び位置情報蓄積部３１に蓄積された監視対象者端末１の位置情報の履歴に基づいて、監視対象者が目的地へ向けて移動開始しているかどうかを判断する（ステップＳ１２０）。具体的には、移動開始判断部３３は、移動開始予定時刻における監視対象者端末１の位置情報と、現時点（移動開始しているかどうかの判断時）における監視対象者端末１の位置情報とを比較して、両者の位置間の距離が所定の距離以上である場合に、監視対象者が目的地へ向けて移動開始していると判断する（ステップＳ１２０で「ＹＥＳ」）。一方、両者の位置間の距離が所定の距離以下である場合、移動開始判断部３３は、監視対象者が目的地へ向けて移動開始していないと判断する（ステップＳ１２０で「ＮＯ」）。
【００５７】
移動開始判断部３３は、監視対象者が目的地へ向けて移動開始していると判断した場合（ステップＳ１２０で「ＹＥＳ」）、監視対象者が移動開始した旨を示す移動開始情報を生成する。移動開始判断部３３で生成された移動開始情報は、送受信部３４を介して、監視者端末２の送受信部２３に送信される。送受信部２３で受信された移動開始情報は、表示制御部２２の制御により、監視者端末２の表示部２Ａに表示される（ステップＳ１３０）。表示部２Ａには、例えば、「移動を開始しました」と表示される。
【００５８】
移動開始判断部３３により、未だ監視対象者が目的地へ向けて移動開始していないと判断された場合（ステップＳ１２０で「ＮＯ」）、位置情報蓄積部３１は、新たに、監視対象者端末１の位置情報の履歴を蓄積する（ステップＳ１１０）。そして、移動開始判断部３３は、この位置情報の履歴に基づいて、再び監視対象者が目的地へ向けて移動開始したかどうかの判断を行う（ステップＳ１２０）。
【００５９】
これにより、監視者は、監視対象者が目的地へ向けて移動を開始したことを知ることができる。よって、監視者は、わざわざ別の手段（電話など）で監視対象者が帰宅を開始しているかどうかを確認する必要がない。監視者は、監視対象者が目的地へ向けて移動を開始したことを確認できた場合は、わざわざ別の手段（電話など）で監視対象者の帰宅を促す必要がない。一方、監視者は、監視対象者が目的地へ向けて移動を開始したことを確認できない場合には、別の手段（電話など）により監視対象者に帰宅を促すことができる。
【００６０】
監視者に監視対象者が目的地へ移動開始したことが報知されると、監視者が、監視者端末２により移動開始確認システム１００を終了させる（ステップＳ１３０）。
【００６１】
以上の如く、本実施形態に係る移動開始確認システム１００は、監視対象者が携帯して使用する監視対象者端末１と、監視者が使用する監視者端末２とを具備する移動開始確認システム１００であって、前記移動開始確認システム１００は、前記監視者端末２が操作されることにより、前記監視対象者の目的地への移動開始予定時刻に関する移動開始予定時刻情報を設定する移動開始予定時刻情報設定部２１と、前記監視対象者端末１の位置情報を取得する位置情報取得部１１と、前記位置情報取得部１１で取得された前記位置情報の履歴を蓄積する位置情報蓄積部３１と、前記移動開始予定時刻情報設定部２１に設定された前記移動開始予定時刻情報、及び前記位置情報蓄積部３１に蓄積された前記位置情報の履歴に基づいて、前記移動開始予定時刻あるいはそれ以降において前記監視対象者が前記目的地へ向けて移動開始しているかどうかを判断する移動開始判断部３３と、を具備し、前記監視者端末２は、前記監視対象者が前記目的地へ向けて移動開始している旨を報知可能な表示部２Ａ（移動開始報知部）を有し、前記移動開始確認システム１００はさらに、前記移動開始判断部３３により、前記移動開始予定時刻あるいはそれ以降において前記監視対象者が前記目的地へ向けて移動開始していると判断されると、前記監視者端末２の前記表示部２Ａに前記監視対象者が前記目的地へ向けて移動開始している旨を報知させる表示制御部２２（移動開始報知制御部）を具備するものである。
このように構成することにより、移動開始予定時刻を監視者が設定できると共に、監視対象者が目的地へ向けて移動開始したのを監視者が確認することができる。
【００６２】
また、本実施形態に係る移動開始確認システム１００においては、前記監視対象者端末は、前記移動開始予定時刻になったことを報知するアラームを出力するアラーム出力部１Ａを有し、前記移動開始予定時刻情報設定部２１に設定された前記移動開始予定時刻情報に基づいて、前記移動開始予定時刻になると前記アラーム出力部１Ａに前記アラームを出力させるアラーム制御部１２を具備するものである。
このように構成することにより、監視対象者は、アラームにより移動開始予定時刻になったことを知ることができる。
【００６３】
また、本実施形態に係る移動開始確認システム１００においては、前記アラーム制御部１２は、前記監視対象者端末１からの停止指示があるまで前記アラーム出力部１Ａに前記アラームを出力させ、前記監視者端末２は、前記アラームの出力が停止された旨を報知可能な表示部２Ａ（アラーム停止報知部）を有し、前記アラームの出力が停止されたかどうかを判断するアラーム制御部１２（アラーム停止判断部）と、前記アラーム制御部１２により前記アラームの出力が停止されたと判断されると、前記監視者端末２の前記表示部２Ａに前記アラームの出力が停止された旨を報知させる表示制御部２２（アラーム停止報知制御部）を具備するものである。
このように構成することにより、監視者は、監視対象者がアラームを停止させたことを知ることができる。
【００６４】
なお、本実施形態に係る表示部２Ａは、本発明に係るアラーム停止報知部及び移動開始報知部の一形態である。
また、本実施形態に係る表示制御部２２は、本発明に係るアラーム停止報知制御部及び移動開始報知制御部の実施の一形態である。
また、本実施形態に係るアラーム制御部１２は、本発明に係るアラーム停止判断部の実施の一形態である。
【００６５】
以上、本発明の実施形態を説明したが、本発明は上記構成に限定されるものではなく、特許請求の範囲に記載された発明の範囲内で種々の変更が可能である。
【００６６】
例えば、本実施形態においては、制御部１０は監視対象者端末１に、制御部２０は監視者端末２に、制御部３０はサーバー３に具備されるものとしたが、本発明はこれに限定されるものではない。制御部１０・２０・３０の各構成要素は、本発明の効果を奏することができる限り、監視対象者端末１、監視者端末２及びサーバー３のいずれに具備されるものであってもよい。
【００６７】
また、本実施形態においては、位置情報取得部１１は、監視対象者端末１の現在の位置情報を定期的に取得するものとしたが、前記位置情報を継続的に、あるいは不定期的に取得するものであってもよい。
【００６８】
また、本実施形態においては、監視者端末２の表示部２Ａ（アラーム停止報知部及び移動開始報知部）にアラーム停止情報及び移動開始情報を表示させることにより、監視者に監視対象者がアラーム出力を停止させた旨、及び監視者が目的地へ向けて移動開始した旨を報知するものとしたが、本発明はこれに限定されるものではない。本発明に係るアラーム停止報知部及び移動開始報知部は、例えば、音声やバイブレーションにより、監視者に報知するものであってもよい。すなわち、本発明に係るアラーム停止報知部及び移動開始報知部は、音声出力手段、又はバイブレーション出力手段であってもよい。
【００６９】
以下では、図３を参照して、本発明の第二実施形態に係る移動開始確認システム２００の構成を説明する。
【００７０】
図３に示す第二実施形態に係る移動開始確認システム２００の構成が、第一実施形態に係る移動開始確認システム１００の構成（図１参照）と異なる点は、サーバー３の制御部３０がさらに地図情報部３５及び領域情報設定部３６を具備する点である。よって以下では、移動開始確認システム２００の構成のうち第一実施形態に係る移動開始確認システム１００と同一の構成については、同一の符号を付して説明を省略する。
【００７１】
地図情報部３５は、地図情報を格納するものである。地図情報は、道路の情報や建物の情報などを含む。地図情報は、地図情報を提供する媒体から予めダウンロード等することで、地図情報部３５に格納される。
【００７２】
領域情報設定部３６は、移動開始予定時刻における監視対象者端末１の位置情報（位置情報蓄積部３１に格納された（位置情報取得部１１で取得された）位置情報）に基づいて、所定の領域を決定し、前記所定の領域に関する領域情報を設定するものである。前記所定の領域の決定には、地図情報部３５に格納された地図情報が用いられる。
【００７３】
領域情報設定部３６で決定される所定の領域は、移動開始予定時刻における監視対象者端末１の位置を含む領域である。例えば、移動開始予定時刻において監視対象者端末１が公園にある場合には、前記所定の領域を公園に決定することができる。あるいは、前記所定の領域を、移動開始予定時刻における監視対象者端末１の位置を中心とした円の内側の範囲に決定することもできる。
【００７４】
次に、移動開始確認システム２００における、監視対象者が目的地へ向けて移動開始しているかどうかを判断するステップ（ステップＳ１２０）の制御の流れを説明する。
【００７５】
移動開始判断部３３は、位置情報蓄積部３１に蓄積された監視対象者端末１の位置情報の履歴、及び領域情報設定部３６に設定された領域情報に基づいて、監視対象者端末１が前記所定の領域の内側にあるか前記所定の領域の外側にあるかを判断する。監視対象者端末１が所定の領域の外側にある場合には、移動開始判断部３３は、監視対象者が目的地へ向けて移動開始していると判断する（ステップＳ１２０で「ＹＥＳ」）。監視対象者端末１が未だ所定の領域の内側にある場合には、移動開始判断部３３は、監視対象者が目的地へ向けて移動開始していないと判断する（ステップＳ１２０で「ＮＯ」）。以降の流れは、第一実施形態に係る移動開始確認システム２００と同様である。
【００７６】
これにより、監視対象者が未だ帰宅を開始しておらず単に公園内を移動している場合に、帰宅を開始したと誤って判断するのを防ぐことができる。したがって、監視対象者が目的地へ向けて移動開始したかどうかを、より正確に判断することができる。
【００７７】
以上の如く、第二実施形態に係る移動開始確認システム２００は、前記位置情報取得部１１で取得された前記移動開始予定時刻における前記位置情報に基づいて、前記移動開始予定時刻における前記監視対象者端末１の位置を含む所定の領域を決定すると共に、前記所定の領域に関する領域情報を設定する領域情報設定部３６を具備し、前記移動開始判断部３３は、前記位置情報蓄積部３１に蓄積された前記位置情報の履歴、及び前記領域情報設定部３６に設定された前記領域情報に基づいて、前記監視対象者端末１が前記所定の領域内にあるか前記所定の領域外にあるかを判断し、前記監視対象者端末１が前記所定の領域外にある場合に、前記監視対象者が前記目的地へ向けて移動開始していると判断するものである。
このように構成することにより、監視対象者が目的地へ向けて移動開始したかどうかを、より正確に判断することができる。
【００７８】
以上、本発明の第二実施形態を説明したが、本発明は上記構成に限定されるものではなく、特許請求の範囲に記載された発明の範囲内で種々の変更が可能である。
【００７９】
例えば、第二実施形態においては、領域情報の設定はサーバー３で行われるものとしたが、本発明はこれに限定されるものではない。領域情報は、監視者が監視者端末２を操作することにより、設定できるようにしてもよい。
【００８０】
以下では、図４を参照して、本発明の第三実施形態に係る移動開始確認システム３００の構成を説明する。
【００８１】
図４に示す第三実施形態に係る移動開始確認システム３００の構成が、第一実施形態に係る移動開始確認システム１００の構成（図１参照）と異なる点は、監視者端末２の制御部２０がさらに目的地情報設定部２４及び到着予定時刻情報設定部２５を具備し、サーバー３の制御部３０がさらに地図情報部３５を具備する点である。よって以下では、移動開始確認システム３００の構成のうち第一実施形態に係る移動開始確認システム１００と同一の構成については、同一の符号を付して説明を省略する。
【００８２】
目的地情報設定部２４は、監視対象者が目指すべき目的地に関する目的地情報を設定するものである。監視者が入力部２Ｂを操作して目的地を入力することにより、目的地情報設定部２４において、入力された目的地に関する目的地情報が設定される。
【００８３】
到着予定時刻情報設定部２５は、到着予定時刻に関する到着予定時刻情報を設定するものである。到着予定時刻は、監視対象者が目的地へ到着するべき時刻である。到着予定時刻情報は、監視者端末２の入力部２Ｂが操作されることにより設定される。
【００８４】
地図情報部３５は、第二実施形態で説明したので、ここでは説明を省略する。
【００８５】
次に、移動開始確認システム３００における、移動開始予定時刻を設定するステップ（ステップＳ２０）の制御の流れを説明する。
【００８６】
移動開始確認システム３００が起動すると、表示制御部２２の制御により、監視者端末２の表示部２Ａに、予め監視者端末２に記憶された、目的地及び到着予定時刻の設定画面が表示される。監視者は、入力部２Ｂを操作して、例えば、目的地を家、監視対象者の到着予定時刻を１８時と入力する。
【００８７】
そうすると、目的地情報設定部２４に目的地情報が設定され、到着予定時刻情報設定部２５に到着予定時刻情報が設定される。移動開始予定時刻情報設定部２１は、目的地情報設定部２４に設定された目的地情報、及び到着予定時刻情報設定部２５に設定された到着予定時刻に基づいて、移動開始予定時刻を算出する。移動開始予定時刻の算出は、さらに、地図情報部３５に格納された地図情報、及び位置情報取得部１１で取得された（位置情報蓄積部３１に格納された）位置情報に基づいて行われる。
【００８８】
移動開始予定時刻情報設定部２１は、これら地図情報、位置情報及び目的地情報から、監視対象者の現在の位置（例えば公園）と家とを結ぶ経路を設定する。移動開始予定時刻情報設定部２１は、この設定された経路、及び予め定められた所定の移動速度から、監視対象者の現在の位置から家までの所要時間を例えば１０分と算出する。そして、到着予定時刻情報設定部２５に設定された到着予定時刻情報（到着予定時刻：１８時）に基づき、移動開始予定時刻を１７時５０分と算出する。このようにして、移動開始予定時刻情報設定部２１に、移動開始予定時刻情報が設定される。
【００８９】
これにより、到着予定時刻に基づいて移動開始予定時刻を設定することができる。したがって、監視者は、監視対象者の現在位置から目的地までの所要時間がわからなくても、移動開始予定時刻を設定することができる。また、監視対象者が移動開始予定時刻においてどこにいるかを監視者が把握していなくても、移動開始予定時刻を設定することができる。
【００９０】
以上の如く、第三実施形態に係る移動開始確認システム３００は、地図情報を格納する地図情報部３５と、前記監視対象者が目指すべき目的地に関する目的地情報を設定する目的地情報設定部２４と、前記監視者端末２が操作されることにより、前記監視対象者の目的地への到着予定時刻に関する到着予定時刻情報を設定する到着予定時刻情報設定部２５と、を具備し、前記移動開始予定時刻情報設定部２１は、前記到着予定時刻情報設定部２５に設定された到着予定時刻、前記地図情報部３５に格納された前記地図情報、前記位置情報取得部１１で取得された前記位置情報、及び前記目的地情報設定部２４で設定された前記目的地情報に基づいて、前記移動開始予定時刻を算出するものである。
このように構成することにより、到着予定時刻に基づいて移動開始予定時刻を設定することができる。
【符号の説明】
【００９１】
１      監視対象者端末
１Ａ    アラーム出力部
２      監視者端末
２Ａ    表示部（アラーム停止報知部、移動開始報知部）
２Ｂ    入力部
３      サーバー
１１    位置情報取得部
１２    アラーム制御部（アラーム停止判断部）
２１    移動開始予定時刻情報設定部
２２    表示制御部（アラーム停止報知制御部、移動開始報知制御部）
２４    目的地情報設定部
２５    到着予定時刻情報設定部
３１    位置情報蓄積部
３３    移動開始判断部
３５    地図情報部
３６    領域情報設定部
１００  移動開始確認システム
【図１】
0006602039.tif 000002
【図２】
0006602039.tif 000003
【図３】
0006602039.tif 000004
【図４】
0006602039.tif 000005